(57)【要約】      （修正有）【課題】内部を清掃する際等の作業性が良く、開状態でもコンパクトにできると共に、ペットが排泄物を排泄する場所を確保できるペット用トイレを提供すること。【解決手段】ペット用トイレ１はトイレ本体２及びフード本体３を備える。フード本体３は、固定フード４と、トイレ本体２の開口の閉状態及び開状態を形成する可動フード５とを有する。閉状態で可動フード５は前方側に位置し、可動フード５と固定フード４との重なり部ＫＴにて、可動フード５及び固定フード４の一方に、上下方向に延びるスライド溝７を設け、可動フード５及び固定フード４の他方に、スライド溝７に係合する支持部８を設ける。閉状態から開状態へは、可動フード５を固定フード４の上面部４０側に向かって支持部８を介してスライド溝７に沿って移動させ、開状態の完成時に可動フード５で固定フード４の上面部４０側を収容する。【選択図】図５
2019103456.tif 000002
【特許請求の範囲】
【請求項１】
上面が開口した容器状のトイレ本体と、該トイレ本体の該上面を覆うフード本体とを備え、該フード本体が、該トイレ本体の後方側に固定されている固定フードと、該固定フードよりも大きく形成されており該トイレ本体の該開口を閉鎖する閉状態及び該開口を露出する開状態を選択的に形成する可動フードとを有するペット用トイレであって、
前記可動フードは、前記閉状態において、前記トイレ本体の前方側に位置し、該可動フードの後方端部が前記固定フードの前方端部と重なるように該後方端部が該前方端部を覆っており、
前記可動フードの後方端部と前記固定フードの前方端部とが重なる重なり部において、前記可動フードの側壁部及び前記固定フードの側壁部の一方に、上下方向に延びるスライド溝を設け、該可動フードの側壁部及び該固定フードの側壁部の他方に、該スライド溝に係合する支持部を設け、
前記閉状態から前記開状態にするときに、前記可動フードを前記固定フードの上面部側に向かって前記支持部を介して前記スライド溝に沿って移動させてゆき、該開状態の完成時に該可動フードで該固定フードの上面部側を収容するように構成されている、ペット用トイレ。
【請求項２】
前記閉状態から前記開状態にするときには、前記可動フードの上面部における後方側端縁が、前記固定フードの上面部に沿って移動するように構成されている、請求項１に記載のペット用トイレ。
【請求項３】
前記固定フードの上面部は、後方側に向かって前記トイレ本体の底面に対して平行に延びる水平部分を有している、請求項１又は２に記載のペット用トイレ。
【請求項４】
前記固定フードの前記側壁部における前記前方端部側の前方側端縁が、前記トイレ本体側から前記上面部に向かうに連れて、前方側から後方側に傾斜している、請求項１〜３の何れか１項に記載のペット用トイレ。
【請求項５】
前記閉状態から前記開状態に移動させてゆくときの前記可動フードの最高位置と、前記閉状態における前記ペット用トイレの最高位置との差が、１５．０ｃｍ以下である、請求項１〜４の何れか１項に記載のペット用トイレ。
【請求項６】
前記開状態において、前記可動フードの側壁部と前記固定フードの側壁部とが重なる部分における前記可動フードと前記固定フードとの間隔は０．３ｃｍ以上３．０ｃｍ以下である、請求項１〜５の何れか１項に記載のペット用トイレ。
【請求項７】
前記開状態において、前記可動フードの前方側の深さ（Ａ）に対する、前記固定フードの上面部と該可動フードとの間隔（Ｂ）の比（Ｂ／Ａ）が、１／２以下である、請求項１〜６の何れか１項に記載のペット用トイレ。
【請求項８】
前記開状態における前記ペット用トイレを側面視して、前記可動フードの天面に位置する部材の前後方向の長さ（Ｃ）に対する、前記固定フードの上面部の前後方向の長さ（Ｄ）の比（Ｄ／Ｃ）が、１／２より大きく１以下である、請求項１〜７の何れか１項に記載のペット用トイレ。
【請求項９】
前記開状態における前記ペット用トイレを側面視して、前記可動フードの天面に位置する部材と後方に位置する部材とのなす内角（Ｅ）、前記固定フードの上面部と後方端部とのなす内角（Ｆ）としたときに、該内角（Ｅ）の度数と該内角（Ｆ）の度数の差が±３０°以内である、請求項１〜８の何れか１項に記載のペット用トイレ。
【請求項１０】
前記可動フードは、前記開状態において、前記固定フードの体積の１／４以上を収容し得る体積を有する、請求項１〜９の何れか１項に記載のペット用トイレ。
【発明の詳細な説明】
【技術分野】
【０００１】
本発明は、ペットが排泄物を排泄するために用いられるペット用トイレに関する。
【背景技術】
【０００２】
従来から、猫等のペットを室内で飼う際に、ペットの排泄物を処理するためのペット用トイレが利用されている（例えば、特許文献１及び特許文献２参照）。
【０００３】
特許文献１及び２には、ペットの尿等の排泄物を受けるトイレ容器と、トイレ容器の上部開口を覆うフードとを備えたペット用トイレが開示されている。特許文献１及び２に記載のペット用トイレは、フードが、トイレ容器に固定される固定フードと、固定フードに支持された可動フードとを備えており、該可動フードが移動することによってトイレ容器の上部開口を開放状態又は閉鎖状態とすることができるようになっている。
【０００４】
特許文献１及び２に記載のペット用トイレによれば、フード全体を外すことなく、可動フードのみを移動させてトイレ容器の上部開口を開放状態とすることができるので、排泄物の除去や、ペット用トイレの内部を清掃する際の作業性が良い。また、特許文献２に記載のペット用トイレによれば、特許文献１に記載のペット用トイレに比べて、トイレ容器の上部開口を閉鎖状態から開放状態とする際の可動フードの移動の軌跡を考慮して設計されているので、ペット用トイレをコンパクトにすることができる。
【先行技術文献】
【特許文献】
【０００５】
【特許文献１】特開２００４−１２１１４７号公報
【特許文献２】特開２００９−１１１７６号公報
【発明の概要】
【発明が解決しようとする課題】
【０００６】
特許文献２に記載のペット用トイレは、ペット用トイレをコンパクトにすることを考慮するあまり、固定フードの上面部が前方側から後方側に向かうに従って湾曲した形状となっている。その為、特許文献２に記載のペット用トイレは、可動フードを移動してトイレ容器を開放状態とした際の内部空間まで小さくなっており、ペットが排泄物を排泄する場所を十分に確保することができなかった。
【０００７】
したがって本発明の目的は、ペット用トイレの内部を清掃する際等の作業性が良く、開状態でもコンパクトにすることができると共に、ペットが排泄物を排泄する場所を十分に確保できるペット用トイレを提供することにある。
【課題を解決するための手段】
【０００８】
本発明は、上面が開口した容器状のトイレ本体と、該トイレ本体の該上面を覆うフード本体とを備え、該フード本体が、該トイレ本体の後方側に固定されている固定フードと、該固定フードよりも大きく形成されており該トイレ本体の該開口を閉鎖する閉状態及び該開口を露出する開状態を選択的に形成する可動フードとを有するペット用トイレであって、前記可動フードは、前記閉状態において、前記トイレ本体の前方側に位置し、該可動フードの後方端部が前記固定フードの前方端部と重なるように該後方端部が該前方端部を覆っており、前記可動フードの後方端部と前記固定フードの前方端部とが重なる重なり部において、前記可動フードの側壁部及び前記固定フードの側壁部の一方に、上下方向に延びるスライド溝を設け、該可動フードの側壁部及び該固定フードの側壁部の他方に、該スライド溝に係合する支持部を設け、前記閉状態から前記開状態にするときに、前記可動フードを前記固定フードの上面部側に向かって前記支持部を介して前記スライド溝に沿って移動させてゆき、該開状態の完成時に該可動フードで該固定フードの上面部側を収容するように構成されている、ペット用トイレを提供するものである。
【発明の効果】
【０００９】
本発明のペット用トイレによれば、ペット用トイレの内部を清掃する際等の作業性が良く、可動フードが開状態でもコンパクトにすることができると共に、ペットが排泄物を排泄する場所を十分に確保することができる。
【図面の簡単な説明】
【００１０】
【図１】図１は、本発明の好ましい一実施形態であるペット用トイレの分解斜視図である。
【図２】図２は、本実施形態のペット用トイレの閉状態の概略斜視図である。
【図３】図３は、図２に示す閉状態のペット用トイレを側面視したときの概略側面図である。
【図４】図４は、図２に示すペット用トイレの有するフード本体の分解斜視図である。
【図５】図５は、図２に示す閉状態のペット用トイレから開状態のペット用トイレとするときの可動フードの動きを説明する説明図である。
【図６】図６は、本実施形態のペット用トイレの開状態の概略斜視図である。
【図７】図７は、図６に示す開状態のペット用トイレを側面視したときの概略側面図である。
【発明を実施するための形態】
【００１１】
以下本発明を、その好ましい一実施形態に基づき図面を参照しながら説明する。図１〜図７には、本発明の好ましい一実施形態のペット用トイレ１が示されている。
【００１２】
ペット用トイレ１は、図１〜図３に示すように、上面２Ｕが開口した合成樹脂で形成された容器状のトイレ本体２と、トイレ本体２の上面２Ｕを覆う合成樹脂で形成されたフード本体３とを備えている。そして、フード本体３は、トイレ本体２の縦方向Ｘの後方側に固定されている固定フード４と、固定フード４よりも大きく形成されておりトイレ本体２の上面２Ｕの開口を閉鎖する閉状態ＣＬ及び該開口を露出する開状態ＯＰを選択的に形成する可動フード５とを有している。
【００１３】
ペット用トイレ１は、フード本体３側から平面視して、前後方向に長い矩形状に形成されている。本明細書では、前後方向である縦方向をＸ方向、縦方向Ｘに直交する左右方向である横方向をＹ方向として説明する。縦方向Ｘにおいては、トイレ本体２において固定フード４を配する側を後方とし、後方と反対側に対向する側を前方として説明する。また、縦方向Ｘ及び横方向Ｙからなる面方向に直交する方向である上下方向をＺ方向として説明する。Ｚ方向においては、トイレ本体２を配する側を下方とし、フード本体３を配する側を上方として説明する。
【００１４】
トイレ本体２は、図２及び図３に示すように、尿透過性の仕切り層２９により上層部分２Ａ及び下層部分２Ｂに区画されている。また、ペット用トイレ１は、トイレ本体２の下層部分２Ｂに引き出し自在に収容されるトレー６を備えている。
【００１５】
トイレ本体２は、図１に示すように、上部開口を有する外容器２０と、外容器２０内に着脱自在に装着される内容器２１とを備えている。外容器２０は、該外容器２０の底面を形成する底面部２２と、該底面部２２の全周を囲み該外容器２０の周面を形成する周壁部２３とを有している。外容器２０は、平面視して縦方向Ｘに長い略矩形形状（即ち上部開口及び底面部２２が略長方形形状）であり、底面部２２の四辺に周壁部２３が配された容器状のものである。また内容器２１も、外容器２０と同様に、該内容器２１の底面を形成する底面部２４と、該底面部２４の全周を囲み該内容器２１の周面を形成する周壁部２５とを有しており、平面視して縦方向Ｘに長い略矩形形状（即ち上部開口及び底面部２４が略長方形形状）のものであり、外容器２０よりも上下方向Ｚの深さの浅い容器状のものである。外容器２０の周壁部２３の内側は、内容器２１及びトレー６の収容部となっており、内容器２１の周壁部２５の内側は、後述する排泄物処理剤等の収容部となっている。
【００１６】
外容器２０の周壁部２３は、図１に示すように、底面部２２の縦方向Ｘに沿う両側部に位置する両側壁部２３ｓ，２３ｓと、該縦方向Ｘの両端部に位置する前方壁部２３ａ及び後方壁部２３ｂとを有している。側壁部２３ｓは、トイレ本体２の縦方向Ｘに延びている。前方壁部２３ａ及び後方壁部２３ｂは、トイレ本体２の横方向Ｙに延びている。
【００１７】
外容器２０は、図１に示すように、周壁部２３（前方壁部２３ａ，後方壁部２３ｂ，側壁部２３ｓ）の上端部に、外方に向かって略水平に延びるフランジ部２６を有している。また、内容器２１は、周壁部２５の上端部に、外方に向かって略水平に延びるフランジ部２７を有している。内容器２１のフランジ部２７は、図１に示すように、外容器２０のフランジ部２６を覆い、内容器２１のフランジ部２７の内面と外容器２０のフランジ部２６の外面とが嵌合するように形成されている。内容器２１のフランジ部２７と外容器２０のフランジ部２６とを嵌合させることによって、外容器２０内に内容器２１が配されるようになっている。外容器２０内に内容器２１が配されたトイレ本体２は、上面２Ｕが開口した容器状の形状となる。トイレ本体２の上面２Ｕの開口面積は、特に制限されなるものではないが、４００ｃｍ2以上２５００ｃｍ2以下程度のものである。
【００１８】
また外容器２０は、図１に示すように、前方壁部２３ａにおける下層部分２Ｂに相当する部分に、開口部２８を有している。開口部２８の大きさ及び形状は、トレー６の引き出し方向と直交する横方向Ｙの断面形状及び大きさと略同じ（僅かに大きい）に形成されており、開口部２８からトレー６を引き出しあるいは挿入することができるようになされている。トレー６の引き出し方向の長さは、外容器２０の縦方向Ｘの長さと略同じ長さに形成されている。
【００１９】
内容器２１の底面部２４は、尿透過性の仕切り層２９として機能する。内容器２１の底面部２４は、平面視して矩形形状の板状部材からなり、該板状部材を厚み方向に貫通する貫通孔２９ｈを多数有している。多数の貫通孔２９ｈは、該底面部２４を平面視して縦方向Ｘに長い矩形形状に形成されており、底面部２４の縦方向Ｘ及び横方向Ｙのそれぞれに所定間隔を空けて配されている。多数の貫通孔２９ｈは、トイレ本体２の上層部分２Ａを形成する内容器２１内に排尿された尿を、トイレ本体２の下層部分２Ｂに通過させる通液孔として機能する。
【００２０】
外容器２０及び内容器２１の大きさは、特に制限されない。外容器２０は、例えば、縦方向Ｘの長さが３００〜７００ｍｍ、横方向Ｙの長さが２００〜４５０ｍｍの平面矩形状を有し、その周壁部２３の高さが７０〜２００ｍｍである。また内容器２１は、例えば、縦方向Ｘの長さが２９５〜５９５ｍｍ、横方向Ｙの長さが１９５〜３９５ｍｍの平面矩形形状を有し、その周壁部２５の高さが３０〜１７０ｍｍである。尚、ここに示した外容器２０及び内容器２１の各部寸法は、内寸法（容器の内側の寸法である）。
【００２１】
トレー６は、図１に示すように、トレー６の底面を形成する平坦な底面部６０と、該底面部６０の周縁を囲み該トレー６の周面を形成する周壁部６１とを有しており、平面視において縦方向Ｘに長い略矩形形状（略長方形形状）をなしている。周壁部６１は、底面部６０の縦方向Ｘに沿う両側部に位置する側壁部６１ｓ，６１ｓと、縦方向Ｘの両端部に位置する前方壁部６１ａ及び後方壁部６１ｂとを有している。トレー６の周壁部６１は、その高さが仕切り層２９に接触しないように形成されている。トレー６は、外容器２０の底面部２２上に載置され、該外容器２０の開口部２８から引き出し可能に形成されている。トレー６の引き出し方向は、外容器２０の縦方向Ｘと略平行である。トレー６の前方壁部６１ａの上端部には、トレー６の外方に向かって略水平に延びるフランジ部６２が連設されている。フランジ部６２の先端部には、上下方向Ｚに沿って下方に延びる折り返し部６３が連設されており、該折り返し部６３は、トレー６をトイレ本体２から引き出す際に指を引掛ける部位として使用される。尚、トレー６の縦方向Ｘは、外容器２０の縦方向Ｘと同じ方向であり、トレー６の横方向Ｙは、外容器２０の横方向Ｙと同じ方向である。
【００２２】
ペット用トイレ１は、特に猫に好適に用いることができる。ペット用トイレ１を猫に使用するときには、トイレ本体２を構成する内容器２１の上層部分２Ａ（図２参照）に、便床を形成する排泄物処理剤を配することが好ましい。排泄物処理剤としては、当該技術分野において猫砂やトイレ砂等として用いられている排泄物処理材を特に制限無く用いることができる。排泄物処理材としては、好ましくは、植物由来の素材の粉砕物、合成樹脂、粘土鉱物等の成分の１種以上を含んで構成され、成形された成形物等が挙げられる。排泄物処理材の形状は、例えば、円筒形状、球状、立方体、直方体等とすることができる。
【００２３】
フード本体３は、図１〜図３に示すように、トイレ本体２の上面２Ｕを覆うように、トイレ本体２を構成する内容器２１のフランジ部２７上に配されるものである。固定フード４は、トイレ本体２の上面２Ｕを覆うように、トイレ本体２の縦方向Ｘの後方側に固定されている。固定フード４は、固定フード４の上面を形成する上面部４０と、該上面部４０の周縁を囲む周壁部４１とを有しており、平面視において略矩形形状をなしている。周壁部４１は、上面部４０の縦方向Ｘに沿う両側部に位置する側壁部４１ｓ，４１ｓと、縦方向Ｘの後方端部に位置する後方壁部４１ｂとを有している。側壁部４１ｓは、上面部４０から上下方向Ｚの下方に延び、且つ縦方向Ｘに延在している。後方壁部４１ｂは、上面部４０から上下方向Ｚの下方に延び、且つ横方向Ｙに延在している。固定フード４は、例えば、両側壁部４１ｓ，４１ｓの下端部に留具等を設け、トイレ本体２を構成する内容器２１のフランジ部２７或いは外容器２０のフランジ部２６に係合させて、トイレ本体２の縦方向Ｘの後方側に着脱自在に固定されている。
【００２４】
可動フード５は、図２及び図３に示すように、固定フード４よりも大きく形成されている。ペット用トイレ１は、可動フード５によって、トイレ本体２の上面２Ｕの開口を閉鎖する閉状態ＣＬ及び該開口を露出する開状態ＯＰを選択的に形成できるようになっている。可動フード５は、閉状態ＣＬにおいて、トイレ本体２の縦方向Ｘの前方側に位置しており、トイレ本体２の上面２Ｕを覆うように配されている。閉状態ＣＬにおいて、可動フード５は、可動フード５の上面を形成する上面部５０と、該上面部５０の周縁を囲む周壁部５１とを有しており、平面視において略矩形形状をなしている。周壁部５１は、上面部５０の縦方向Ｘに沿う両側部に位置する側壁部５１ｓ，５１ｓと、縦方向Ｘの前方端部に位置する前方壁部５１ａとを有している。側壁部５１ｓは、上面部５０から上下方向Ｚの下方に延び、且つ縦方向Ｘに延在している。前方壁部５１ａは、上面部５０から上下方向Ｚの下方に延び、且つ横方向Ｙに延在している。前方壁部５１ａには、閉状態ＣＬにおいて、ペットがペット用トイレ１の内部に出入りするための出入口５２が形成されている。
【００２５】
可動フード５は、図２及び図３に示すように、閉状態ＣＬにおいて、可動フード５の周壁部５１の縦方向Ｘの後方端部が固定フード４の周壁部４１の縦方向Ｘの前方端部と重なるように、周壁部５１の後方端部が周壁部４１の前方端部を覆っている。このように、ペット用トイレ１は、閉状態ＣＬにおいて、可動フード５の周壁部５１の後方端部が、固定フード４の周壁部４１の前方端部を覆っており、可動フード５の周壁部５１の後方端部と固定フード４の周壁部４１の前方端部とが重なる重なり部ＫＴを有している。
【００２６】
閉状態ＣＬにおいて形成される重なり部ＫＴには、可動フード５の周壁部５１を構成する側壁部５１ｓ及び固定フード４の周壁部４１を構成する側壁部４１ｓの一方に、上下方向Ｚに延びるスライド溝７が設けられ、可動フード５の周壁部５１を構成する側壁部５１ｓ及び固定フード４の周壁部４１を構成する側壁部４１ｓの他方に、スライド溝７に係合する支持部８が設けられるところ、ペット用トイレ１では、図４に示すように、固定フード４の両側壁部４１ｓ，４１ｓそれぞれにスライド溝７が設けられており、可動フード５の両側壁部５１ｓ，５１ｓそれぞれに支持部８が設けられている。
【００２７】
スライド溝７は、図３及び図４に示すように、重なり部ＫＴを構成する固定フード４の両側壁部４１ｓ，４１ｓに形成されている。スライド溝７は、一方の側壁部４１ｓと他方の側壁部４１ｓにおいて、互いに対向するように一対形成されている。各スライド溝７は、重なり部ＫＴを構成する各側壁部４１ｓの下方端部側に、縦方向Ｘの後方側から前方側に水平方向に延びる水平部７１を有している。そして、各スライド溝７は、重なり部ＫＴを構成する各側壁部４１ｓにおいて、上下方向Ｚの下方側から上方側に向かうに連れて前方側から後方側に向かって傾斜する傾斜部７２を有している。傾斜部７２は、水平部７１の前方端部から連続して形成されている。水平部７１及び傾斜部７２のスライドの溝幅は略一定に形成されている。
【００２８】
傾斜部７２の延びる方向と垂直方向とのなす内角は、開状態ＯＰのペット用トイレ１をコンパクトにすることができると共に、ペットが排泄する場所を十分に確保できる観点から、０°以上であることが好ましく、５°以上であることが更に好ましく、そして、６０°以下であることが好ましく、４５°以下であることが更に好ましく、具体的には、０°以上６０°以下であることが好ましく、５°以上４５°以下であることが更に好ましい。
【００２９】
支持部８は、図４に示すように、重なり部ＫＴを構成する可動フード５の両側壁部５１ｓ，５１ｓの下方端部に形成されている。支持部８は、一方の側壁部５１ｓと他方の側壁部５１ｓにおいて、互いに対向するように一対形成されている。各支持部８は、重なり部ＫＴを構成する各側壁部５１ｓの下方端部に形成されている。各支持部８は、各側壁部５１ｓを貫通する円柱状の軸部（不図示）と、該軸部の両端部それぞれに該軸部の端部に嵌合する嵌合部材８１，８１を有している。軸部の軸径は、スライド溝７の溝幅よりも狭く形成されている。そして、嵌合部材８１の大きさは、スライド溝７の溝幅よりも広く形成されている。
【００３０】
図３に示すように、可動フード５と固定フード４との重なり部ＫＴにおいて、可動フード５の各支持部８は、固定フード４側の内側の嵌合部材８１を外した状態で、円柱状の軸部を固定フード４の各スライド溝７に通し、その後、外していた内側の嵌合部材８１を軸部に取り付けることによって、可動フード５に固定されている。このように取り付けられた各支持部８は、スライド溝７に通された軸部が嵌合部材８１，８１で挟持されており、各支持部８がスライド溝７に係合している。
【００３１】
ペット用トイレ１は、図５に示すように、閉状態ＣＬから開状態ＯＰにするときに、可動フード５を固定フード４の上面部４０側に向かって一対の支持部８，８を介して固定フード４の一対のスライド溝７，７に沿って移動させてゆき、図６及び図７に示す開状態ＯＰの完成時に可動フード５で固定フード４の上面部４０側を収容するように構成されている。具体的には、図５に示すように、ペット用トイレ１を閉状態ＣＬから開状態ＯＰにするときには、先ず、可動フード５を、一対の支持部８，８を介して固定フード４の一対のスライド溝７，７の水平部７１に沿って、固定フード４から縦方向Ｘの前方側に水平に移動させる。次いで、可動フード５を、一対の支持部８，８を介して固定フード４の一対のスライド溝７，７の傾斜部７２に沿って、トイレ本体２側から固定フード４の上面部４０側に向かって移動させる。そして、可動フード５で固定フード４の上面部４０を覆った後、可動フード５を、一対の支持部８，８を介して一対のスライド溝７，７の傾斜部７２に沿ってトイレ本体２側に戻し、可動フード５の内側に固定フード４の上面部４０側を収容して、図６及び図７に示すペット用トイレ１の開状態ＯＰが完成する。
【００３２】
上述したペット用トイレ１は、図６に示すように、閉状態ＣＬから開状態ＯＰにするときに、フード本体３全体を外すことなく、可動フード５のみを可動してトイレ本体２の上面２Ｕの開口を開放状態とすることができる。その為、排泄物の除去や、ペット用トイレの内部を清掃する際の作業性が良い。また、ペット用トイレ１の開状態ＯＰにおいては、可動フード５の内側に固定フード４の上面部４０側が収容されるようになっているので、開状態ＯＰのペット用トイレ１をコンパクトにすることができ、設置する場所の悩みが減少する。特に、ペット用トイレ１は、閉状態ＣＬから開状態ＯＰにするときに、可動フード５を固定フード４の上面部４０側に向かって固定フード４の上下方向Ｚに延びるスライド溝７に沿って支持部８を介して移動させてゆくように構成されている。その為、開状態ＯＰのペット用トイレ１をコンパクトにすることができると共に、ペットが排泄物を排泄する場所を十分に確保することができる。そして、特に、スライド溝７の傾斜部７２が前方側から後方側に傾斜していると、閉状態ＣＬから開状態ＯＰにするときに、可動フード５を固定フード４の上面部４０側に向かって容易に移動できる。
【００３３】
ペット用トイレ１は、閉状態ＣＬから開状態ＯＰにするときには、図６に示すように、可動フード５の上面部５０における縦方向Ｘの後方側端縁５０ｅが、固定フード４の上面部４０の輪郭に沿って移動するように構成されている。その為、ペット用トイレ１は、開状態ＯＰでもコンパクトにできると共に、ペットが排泄物を排泄する場所を十分に確保することができる。
【００３４】
ペット用トイレ１は、固定フード４の上面部４０が、図５〜図７に示すように、縦方向Ｘの後方側に向かってトイレ本体２の底面に対して平行に延びる水平部分４０ｈを有している。水平部分４０ｈは、上面部４０における縦方向Ｘの前方側から後方側に向かって形成されている。水平部分４０ｈは、上面部４０における高い位置に配されている。固定フード４が上面部４０に水平部分４０ｈを有しているので、ペット用トイレ１は、ペットが排泄物を排泄する場所を十分に確保できる。
【００３５】
また、ペット用トイレ１は、図５及び図７に示すように、固定フード４の各側壁部４１ｓにおける縦方向Ｘの前方端部側の前方側端縁４１ｓ１が、トイレ本体２側から上面部４０に向かうに連れて、前方側から後方側に傾斜している。このように前方側端縁４１ｓ１が傾斜していると、ペット用トイレ１を開状態ＯＰにしたときに、開口したトイレ本体２の奥まで見ることができ、排泄物の除去や、ペット用トイレの内部を清掃する際の作業性が向上する。同様な観点から、前方側端縁４１ｓ１の傾斜方向は、スライド溝７の傾斜部７２の延びる方向と略一致していることが好ましい。また、同様な観点から、前方側端縁４１ｓ１の延びる方向と垂直方向とのなす内角は、０°以上であることが好ましく、５°以上であることが更に好ましく、そして、６０°以下であることが好ましく、４５°以下であることが更に好ましく、具体的には、０°以上６０°以下であることが好ましく、５°以上４５°以下であることが更に好ましい。
【００３６】
また、ペット用トイレ１は、図５に示すように、閉状態ＣＬから開状態ＯＰに移動させてゆくときの可動フード５の最高位置Ｔ１と、閉状態ＣＬにおけるペット用トイレの最高位置Ｔ２との差ｈが、開状態ＯＰのペット用トイレ１をコンパクトにする観点から、１５．０ｃｍ以下であることが好ましく、１０．０ｃｍ以下であることが更に好ましく、小さければ小さいほど好ましいが、２．０ｃｍ以上であれば、十分に満足すべき効果が得られる。
【００３７】
また、ペット用トイレ１は、図６及び図７に示すように、開状態ＯＰにおいて、可動フード５の側壁部５１ｓ，５１ｓと固定フード４の側壁部４１ｓ，４１ｓとが重なる部分における可動フード５と固定フード４との間隔は、可動フード５の内面に付いた汚れが固定フード４に付着することを防ぐ観点から、０．３ｃｍ以上であることが好ましく、０．５ｃｍ以上であることが更に好ましく、そして、３．０ｃｍ以下であることが好ましく、２．５ｃｍ以下であることが更に好ましく、具体的には、０．３ｃｍ以上３．０ｃｍ以下であることが好ましく、０．５ｃｍ以上２．５ｃｍ以下であることが更に好ましい。尚、開状態において、固定フード４と可動フード５との接触及び可動フード５のがたつきを抑制する観点から、可動フード５と固定フード４とが重なる部分における、可動フード５と固定フード４との間に、可動フード５の内面及び固定フード４の外面の少なくとも一方から隆起する隆起部を設けてもよい。
【００３８】
また、ペット用トイレ１は、図７に示すように、開状態ＯＰにおいて、可動フード５の前方側の深さ（Ａ）に対する、固定フード４の上面部４０と可動フード５の前方壁部５１ａとの間隔（Ｂ）の比（Ｂ／Ａ）が、可動フード５の内面に付いた汚れが固定フード４に付着することを防ぐ観点から、１／２以下であることが好ましく、１／３以下であることが更に好ましく、小さければ小さいほど好ましいが、１／１００以上であれば、十分に満足すべき効果が得られる。尚、開状態ＯＰにおける可動フード５の前方側の深さ（Ａ）とは、言い換えれば、閉状態ＣＬにおける可動フード５の側壁部５１ｓ下端側での縦方向Ｘの長さのことである。同様な観点から、可動フード５の前方側の深さ（Ａ）は、５．０ｃｍ以上であることが好ましく、１０．０ｃｍ以上であることが更に好ましく、そして、３０．０ｃｍ以下であることが好ましく、２０．０ｃｍ以下であることが更に好ましく、具体的には、５．０ｃｍ以上３０．０ｃｍ以下であることが好ましく、１０．０ｃｍ以上２０．０ｃｍ以下であることが更に好ましい。固定フード４の上面部４０と可動フード５との間隔（Ｂ）は、０．３ｃｍ以上であることが好ましく、０．５ｃｍ以上であることが更に好ましく、そして、５．０ｃｍ以下であることが好ましく、３．０ｃｍ以下であることが更に好ましく、具体的には、０．３ｃｍ以上５．０ｃｍ以下であることが好ましく、０．５ｃｍ以上３．０ｃｍ以下であることが更に好ましい。
【００３９】
閉状態ＣＬにおける可動フード５の前方壁部５１ａは、開状態ＯＰにおいては可動フード５の天面に位置する部材となる。ペット用トイレ１は、図７に示すように、開状態ＯＰにおけるペット用トイレ１を側面視して、可動フード５の天面に位置する部材の前後方向である縦方向Ｘの長さ（Ｃ）に対する、固定フード４の上面部４０の前後方向である縦方向Ｘの長さ（Ｄ）の比（Ｄ／Ｃ）が、可動フード５の内面に付いた汚れが固定フード４に付着することを防ぐ観点から、１／２より大きいことが好ましく、２／３以上であることが更に好ましく、そして、１以下であることが好ましく、９／１０以下であることが更に好ましく、具体的には、１／２より大きく１以下であることが好ましく、２／３以上９／１０以下であることが更に好ましい。尚、前記長さ（Ｃ）とは、閉状態ＣＬにおける前方壁部５１ａの上下方向Ｚの長さのことである。同様な観点から、可動フード５の前記長さ（Ｃ）は、２０．０ｃｍ以上であることが好ましく、２５．０ｃｍ以上であることが更に好ましく、そして、５５．０ｃｍ以下であることが好ましく、５０．０ｃｍ以下であることが更に好ましく、具体的には、２０．０ｃｍ以上５５．０ｃｍ以下であることが好ましく、２５．０ｃｍ以上５０．０ｃｍ以下であることが更に好ましい。固定フード４の上面部４０の前記長さ（Ｄ）は、１０．０ｃｍ以上であることが好ましく、１５．０ｃｍ以上であることが更に好ましく、そして、５０．０ｃｍ以下であることが好ましく、４５．０ｃｍ以下であることが更に好ましく、具体的には、１０．０ｃｍ以上５０．０ｃｍ以下であることが好ましく、１５．０ｃｍ以上４５．０ｃｍ以下であることが更に好ましい。
【００４０】
また、閉状態ＣＬにおける可動フード５の上面部５０は、開状態ＯＰにおける可動フード５の後方に位置する部材となる。図７に示すように、開状態ＯＰにおけるペット用トイレ１を側面視して、可動フード５の天面に位置する部材と後方に位置する部材とのなす内角（Ｅ）、固定フード４の上面部４０と後方端部である後方壁部４１ｂとのなす内角（Ｆ）としたときに、可動フード５の内面に付いた汚れが固定フード４に付着することを防ぐ観点から、内角（Ｅ）の度数と内角（Ｆ）の度数の差が±３０°以内であることが好ましく、±２０°以内であることが更に好ましく、小さければ小さいほど好ましいが、±５°以内であれば、十分に満足すべき効果が得られる。尚、前記内角（Ｅ）とは、前方壁部５１ａと上面部５０とのなす内角のことである。同様な観点から、可動フード５の前記内角（Ｅ）は、８５°以上であることが好ましく、９０°以上であることが更に好ましく、そして１３５°以下であることが好ましく、１２０°以下であることが更に好ましく、具体的には、８５°以上１３５°以下であることが好ましく、９０°以上１２０°以下であることが更に好ましい。固定フード４の前記内角（Ｆ）は、８５°以上であることが好ましく、９０°以上であることが更に好ましく、そして、１３５°以下であることが好ましく、１２０°以下であることが更に好ましく、具体的には、８５°以上１３５°以下であることが好ましく、９０°以上１２０°以下であることが更に好ましい。
【００４１】
また、図７に示すようにペット用トイレ１の開状態ＯＰにおいて、可動フード５は、開状態ＯＰのペット用トイレ１をコンパクトにする観点から、固定フード４の体積の１／４以上を収容し得る体積を有することが好ましく、固定フード４の体積の１／２以上を収容し得る体積を有することが更に好ましく、大きければ大きいほど好ましいが、２／３以下であれば、十分に満足すべき効果が得られる。ここで、固定フード４の体積とは、固定フード４の周壁部４１が、一対の側壁部４１ｓ，４１ｓ及び後方壁部４１ｂに加えて、一対の側壁部４１ｓ，４１ｓにおける縦方向Ｘの前方端部側の前方側端縁４１ｓ１，４１ｓ１どうしの間に仮想の前方壁部を有していると仮定した際の周壁部４１と、上面部４０とで囲まれた部分の体積を意味する。同様に、可動フード５の体積とは、閉状態ＣＬにおける可動フード５の周壁部５１が、一対の側壁部５１ｓ，５１ｓ及び前方壁部５１ａに加えて、一対の側壁部５１ｓ，５１ｓにおける縦方向Ｘの後方端部側の後方側端縁どうしの間に仮想の後方壁部を有していると仮定した際の周壁部５１と、上面部５０とで囲まれた部分の体積を意味する。同様な観点から、固定フード４の体積は、８０００ｃｍ3以上であることが好ましく、１００００ｃｍ3以上であることが更に好ましく、そして、１２００００ｃｍ3以下であることが好ましく、１１００００ｃｍ3以下であることが更に好ましく、具体的には、８０００ｃｍ3以上１２００００ｃｍ3以下であることが好ましく、１００００ｃｍ3以上１１００００ｍ3以下であることが更に好ましい。可動フード５の体積は、２０００ｃｍ3以上であることが好ましく、２５００ｃｍ3以上であることが更に好ましく、そして、５００００ｃｍ3以下であることが好ましく、４５０００ｃｍ3以下であることが更に好ましく、具体的には、２０００ｃｍ3以上５００００ｃｍ3以下であることが好ましく、２５００ｃｍ3以上４５０００ｃｍ3以下であることが更に好ましい。
【００４２】
ペット用トイレ１の構成部材（トイレ本体２（外容器２０、内容器２１）、フード本体３（固定フード４、可動フード５）、トレー６等）の材質は、耐食性を有するものであれば特に制限はない。軽量で取り扱い易く、成形性が良い等の点から、例えば、ポリプロピレン、ポリエチレン、ポリエチレンテレフタレート、塩化ビニル、アクリロニトリル−ブタジエン−スチレン共重合体（ＡＢＳ）等の汎用の合成樹脂で一体成形されたものが好ましい。また、ペット用トイレ１の構成部材は、表面に撥水加工や抗菌加工が施されたものを用いることがより好ましい。
【００４３】
以上、本発明をその好ましい実施形態に基づき説明したが、本発明は上述した実施形態に限定されない。例えば、ペット用トイレ１では、図４に示すように、固定フード４の両側壁部４１ｓ，４１ｓそれぞれにスライド溝７が設けられており、可動フード５の両側壁部５１ｓ，５１ｓそれぞれに支持部８が設けられているが、可動フード５の両側壁部５１ｓ，５１ｓそれぞれにスライド溝７が設けられており、固定フード４の両側壁部４１ｓ，４１ｓそれぞれに支持部８が設けられていてもよい。また、スライド溝７及び支持部８が、それぞれ、一対配されているが、一対でなく、固定フード４の一方の側壁部４１ｓ及び該一方の側壁部４１ｓに対応する可動フード５の一方の側壁部５１ｓに、それぞれ１個配されていてもよい。
【００４４】
また、ペット用トイレ１では、図４に示すように、スライド溝７は、水平部７１及び傾斜部７２を有しているが、水平部７１を有さずに傾斜部７２のみを有していてもよい。また、スライド溝７は、前方側から後方側に傾斜している傾斜部７２を有しているが、傾斜していなくてもよく、上下方向Ｚにさえ延びていればよい。
【符号の説明】
【００４５】
１  ペット用トイレ
２  トイレ本体
２Ｕ  上面
２Ａ  上層部分
２Ｂ  下層部分
２０  外容器
２１  内容器
２８  開口部
２９  仕切り層
３  フード本体
４  固定フード
４０  上面部
４０ｈ  水平部分
４１  周壁部
４１ｓ  側壁部
４１ｓ１  前方側端縁
４１ｂ  後方壁部
５  可動フード
５０  上面部
５０ｅ  後方側端縁
５１  周壁部
５１ｓ  側壁部
５１ａ  前方壁部
５２  出入口
６  トレー
６０  底面部
６１  周壁部
７  スライド溝
７１  水平部
７２  傾斜部
８  支持部
８１  嵌合部材
ＫＴ  重なり部
【図１】
2019103456.tif 000003
【図２】
2019103456.tif 000004
【図３】
2019103456.tif 000005
【図４】
2019103456.tif 000006
【図５】
2019103456.tif 000007
【図６】
2019103456.tif 000008
【図７】
2019103456.tif 000009